(57)【要約】【課題】  取り外しが容易に行え、再使用が可能なコンクリート建造物の上面に縦孔を形成するための型枠装置を提供する。【解決手段】  コンクリート建造物の上面に縦孔を形成するための型枠装置であり、平面位置において環状に連続する周囲型枠部２が複数の型枠パネル６、８が環状に連結されて構成され、型枠パネル６、８の一部が内側に変位されることで周囲型枠部２の全体が平面位置において縮形してコンクリート建造物から離型するもの。【選択図】図１
2012047021.tif 000002
【特許請求の範囲】
【請求項１】
コンクリート建造物の上面に縦孔を形成するための型枠装置であり、
平面位置において環状に連続する周囲型枠部が複数の型枠パネルが環状に連結されて構成され、前記型枠パネルの一部が内側に変位されることで前記周囲型枠部の全体が平面位置において縮形してコンクリート建造物から離型することを特徴とする型枠装置。
【請求項２】
平面形状が正方形で、前記型枠パネルが４角に位置する４個のコーナー型枠パネルとそれらの間に配置される４個の中間型枠パネルとからなり、前記中間型枠パネルのそれぞれが内側に変位される請求項１記載の型枠装置。
【請求項３】
前記中間型枠パネルそれぞれを上昇させることで前記内側への変位を行わせ、かつ、前記４個のコーナー型枠パネルそれぞれを前記中間型枠パネルそれぞれと一体に内側へ変位させる連動変位機構を備える請求項２記載の型枠装置。
【請求項４】
前記コーナー型枠パネルそれぞれと前記中間型枠パネルそれぞれとが、平面位置において内側に向かって広がる方向において付き合わされてなる請求項３記載の型枠装置。
【発明の詳細な説明】
【技術分野】
【０００１】  この発明は、橋脚等のコンクリート建造物の上面に縦孔を形成するための型枠装置に関する。
【背景技術】
【０００２】  高速道路の橋脚をコンクリートにより建造する場合、その上面には橋桁を固定するアンカー等を植設するための縦孔を形成する。この縦孔が小形である場合は有底筒体がコンクリートに埋設されて形成されるが、大形の場合には型枠を組むことで形成される。
【発明の概要】
【発明が解決しようとする課題】
【０００３】  上記のように型枠を組んで縦孔を形成した場合には、コンクリートの固化後にそれを取り外す必要があり、従来においては木製の型枠を組んでそれを解体して取り外していた。縦孔は大形である場合にも人が入るのには十分な大きさがなく、そこに入っての取り外し作業には非常に手間がかかるとともにその後片付けにも手間がかかり、くわえて現場毎に型枠を廃棄する無駄があった。【０００４】  この発明は上記の事情に鑑みて行ったもので、取り外しが容易に行え、再使用が可能なコンクリート建造物の上面に縦孔を形成するための型枠装置を提供することを目的とする。
【課題を解決するための手段】
【０００５】  この発明では、コンクリート建造物の上面に縦孔を形成するための型枠装置であり、平面位置において環状に連続する周囲型枠部が複数の型枠パネルが環状に連結されて構成され、前記型枠パネルの一部が内側に変位されることで前記周囲型枠部の全体が平面位置において縮形してコンクリート建造物から離型することを特徴とする型枠装置を提供する。【０００６】  この発明の型枠装置は、周囲型枠部の全体が平面位置において縮形することでコンクリート建造物から離型される。したがって、従来のような型枠の解体作業等を必要とせず、型枠装置の取り外しが容易になされ、また、取り外した型枠装置の再使用が行える。【０００７】  周囲型枠部は、例えば、平面形状が正方形で、型枠パネルが４角に位置する４個のコーナー型枠パネルとそれらの間に配置される４個の中間型枠パネルとからなり、中間型枠パネルのそれぞれが内側に変位される構成とされる。中間型枠パネルそれぞれを上昇させることで内側への変位を行わせ、かつ、４個のコーナー型枠パネルそれぞれを中間型枠パネルそれぞれと一体に内側へ変位させる連動変位機構を設けることで、周囲型枠部の縮形のための作業が容易になされる。さらに、コーナー型枠パネルそれぞれと中間型枠パネルそれぞれとが、平面位置において内側に向かって広がる方向において付き合わされてなる構成とされることで、中間型枠パネルのコーナー型枠パネルに沿っての内側への変位動作がスムーズになされる。
【発明の効果】
【０００８】  この発明によれば、橋脚等のコンクリート建造物の上面への縦孔の形成が型枠の解体作業等を要することなく容易に行え、これにより作業効率が格段に向上される。また、型枠装置の再使用が行えるので無駄がなく、建造コストも低減される。
【図面の簡単な説明】
【０００９】
【図１】この発明の型枠装置の組み立て時の外観斜視図
【図２】この発明の型枠装置の分解時の外観斜視図
【図３】この発明の型枠装置の組み立て時の部分拡大斜視図
【図４】この発明の型枠装置の連結固定部の断面図
【図５】この発明の型枠装置使用時の周囲型枠部の平面形態図
【図６】この発明の型枠装置使用時のコーナー型枠パネルと中間型枠パネルとの側面位置関係を示す図
【図７】この発明の型枠装置取り外し時の周囲型枠部の平面形態図
【図８】この発明の型枠装置取り外し時のコーナー型枠パネルと中間型枠パネルとの側面位置関係を示す図
【発明を実施するための形態】
【００１０】  型枠装置１は平面形状が正方形で平面位置において環状に連続する周囲型枠部２と底プレート３とからなり、周囲型枠部２は４個のコーナー型枠パネル６とそれらの間に配置される４個の中間型枠パネル８とからなる。コーナー型枠パネル６と中間型枠パネル８とのそれぞれは、鉄製の枠体の外側にステンレスパネルが溶接固定されて構成されている。中間型枠パネル８それぞれは平面形態が台形でその両側の連結面１０は傾斜面となっており、コーナー型枠パネル６それぞれの連結面１２それぞれも中間型枠パネル８それぞれの連結面１０と沿うように傾斜面となっている。上記のような構成によりコーナー型枠パネル６それぞれと中間型枠パネル８それぞれとは、平面位置において内側に向かって広がる方向において付き合わされた構成となっている。
【００１１】  コーナー型枠パネル６それぞれの連結面１２には連結穴１４が、中間型枠パネル８それぞれの連結面１０には湾曲状の連結長穴１６が設けられ、図３に示すように、それらを通して配置される連結ボルト２０に２重ナット２２が締め付け装着されてコーナー型枠パネル６と中間型枠パネル８とが互いに連結されている。
【００１２】  図４はその連結固定部の断面構成を示し、連結ボルト２０としては太径でネジの設けられていない基部２４を持つ段付型が使用され、その基部２４がコーナー型枠パネル６と中間型枠パネル８とのそれぞれの連結穴１４、連結長穴１６を通す部分に位置し、かつ、２重ナット２２の内側ナット２２ａがその内側面２１と連結ボルト２０の頭部２３の下面２５との間にコーナー型枠パネル６の連結面１２と中間型枠パネル８の連結面１０とを挟む位置に取り付けられ、その内側ナット２２ａに外側ナット２２ｂが押し付けられるように締め付けられて固定が行われている。
【００１３】  上記固定構造において、連結ボルト２０の基部２４の径が連結穴１４の径、連結長穴１６の巾とほぼ等しくされていることで、連結ボルト２０が連結穴１４、連結長穴１６部分において位置づれすることがない。さらに、外側ナット２２ｂにより締め付けが行われた場合にも内側ナット２２ａが中間型枠パネル８の連結面１０を強固に押圧することがなく、これによりコーナー型枠パネル６の連結面１２と中間型枠パネル８の連結面１０とが強固に固着しない状態において連結固定されている。
【００１４】  以下、型枠装置１の使用について説明する。型枠装置１の周囲型枠部２は図１に示す状態において橋脚等の外形を建造するための外周型枠内の所定位置に吊り下げ支持される。その吊り下げ支持は、図３に示すように、中間型枠パネル８のそれぞれが吊り下げ用ボルト３０に取り付けられることで行われる。吊り下げ用ボルト３０はその上部が型枠上に固定状態に配置される固定材３２に取り付けられ、下部が中間型枠パネル８の上面部３３、上側リブ３４を通して下側リブ３６に固定されて取り付けられている。
【００１５】  図５はその際の周囲型枠部２の平面形態を示し、図６はコーナー型枠パネル６と中間型枠パネル８との側面位置関係を示す。この状態においてはコーナー型枠パネル６と中間型枠パネル８との外面６ａ、８ａは面一に位置する。また、連結ボルト２０は中間型枠パネル８の連結長穴１６内の上端に位置している。このように配置された周囲型枠部２の底面に底プレート３が装着され、その装着は上部が他の固定材３２に固定され下方に延び出す固定ネジ棒の下端が底プレート３の上面中央に固着されたナット３７に連結固定されて行われ、その状態において底プレート３は周囲型枠部２の底面開口を覆うように当接配置される。上記のように型枠装置１が所定位置に吊り下げ支持された状態において外周型枠内にコンクリートが流入され、固化される。
【００１６】  コンクリートの固化後の型枠装置１の取り外しは、４個の中間型枠パネル８それぞれを支持する吊り下げ用ボルト３０それぞれに固定材３２上において装着されているナット４０それぞれを締め付けることで行う。ナット４０を締め付けていくことで吊り下げ用ボルト３０はその下部が下側リブ３６に固定されているので中間型枠パネル８に引き上げ力が働く。これによりコーナー型枠パネル６の連結面１２と中間型枠パネル８の連結面１０とが固着しておらず、かつ、連結ボルト２０が連結長穴１６内にあり連結長穴１６の形態に沿って移動することで、中間型枠パネル８はその連結面１０がコーナー型枠パネル６の連結面１２に沿いながら前方上部に変位される。
【００１７】  図７はその際の周囲型枠部２の平面形態を示し、図８はコーナー型枠パネル６と中間型枠パネル８との側面位置関係を示す。この状態において中間型枠パネル８はコーナー型枠パネル６からｘの距離において内側に突出し、かつ、ｙの距離において上昇する。また、中間型枠パネル８の内方への変位に伴ってそれに一体のコーナー型枠パネル６も内方に変位し、例えば、一辺の長さを４５ｃｍとする周囲型枠部２においてはその一辺長さが５ｍｍ程度小さくなり、このようにして周囲型枠部２が縮形される。
【００１８】  上記中間型枠パネル８のコーナー型枠パネル６からの突出動作は、上記したようにコーナー型枠パネル６と中間型枠パネル８とが平面位置において内側に向かって広がる方向において付き合わされた構成となっていることでスムーズになされる。また、上記したように連結ボルト２０が連結穴１４、連結長穴１６部分において位置づれすることがないので、周囲型枠部２の縮形動作が安定して、かつ、寸法精度良く行われる。上記吊り下げ用ボルト３０、連結ボルト２０、２重ナット２２、連結長穴１６のそれぞれにより連動変位機構が構成される。
【００１９】  上記の縮形は周囲型枠部２が底プレート３に固定されていないことで可能となり、縮形することで周囲型枠部２の外面が固化されたコンクリート面から離れ、その状態において周囲型枠部２と底プレート３とはクレーンより固定材３２とともに吊り上げられて取り出される。
【符号の説明】
【００２０】  １  型枠装置
２  周囲型枠部
６  コーナー型枠パネル（型枠パネル）
８  中間型枠パネル（型枠パネル）
【図１】
2012047021.tif 000003
【図２】
2012047021.tif 000004
【図３】
2012047021.tif 000005
【図４】
2012047021.tif 000006
【図５】
2012047021.tif 000007
【図６】
2012047021.tif 000008
【図７】
2012047021.tif 000009
【図８】
2012047021.tif 000010